(57)【要約】      （修正有）【課題】健常者はもとより、介助を要する方であっても、爽快な気分で入浴することのできる介助用入浴補助具を提供する。【解決手段】縦長の略矩形状の枠体２を設け、枠体の全体或いは一部に、ネット素材３と、その上に弾力性素材からなる中敷材８を貼着した補助具本体１を設け、本体の両側面のそれぞれ略中央部には、両手用の把手４ａ、４ｂを設け、末端部には、入浴中に両足で係止するための係止部材５を設け、先端部には、両端よりそれぞれ係止紐７ａ、７ｂ付きのフック６ａ、６ｂを設ける。浴槽の壁面に設けた手摺り棒にフックを引っ掛け、補助具本体を浴槽内に浸漬する。そして、係止部材に両足を係止し、両手でそれぞれ把手を掴み、身体を補助具本体に委ねて入浴する。【選択図】図１
0003198784.tif 000002
【実用新案登録請求の範囲】
【請求項１】
縦長の略矩形状の枠体（２）を設け、該枠体（２）の全体、或いは一部にネット素材（３）を粘着した補助具本体（１）を設け、該本体（１）の両側面のそれぞれ略中央部には、両手用の把手（４ａ）（４ｂ）を設け、該本体（１）の末端部は、入浴中に両足で係止するための係止部材（５）を設け、該本体（１）の先端部は、両端よりそれぞれ係止紐（７ａ）（７ｂ）付きのフック（６ａ）（６ｂ）を設けたことを特徴とする介助用入浴補助具。
【請求項２】
前記ネット素材（３）を貼着した補助具本体（１）に、弾力性素材で形成された中敷材（８）を設けたことを特徴する請求項１記載の介助用入浴補助具。
【請求項３】
前記中敷材（８）が、前記枠体（２）内であって、且つ、背面部と座面部とが一体に収まる大きさに形成したものであることを特徴とする請求項２記載の介助用入浴補助具。
【考案の詳細な説明】
【技術分野】
【０００１】
この考案は、介助用入浴補助具に関するものである。
【背景技術】
【０００２】
従来、入浴の歴史は、蒸し風呂であったと思われ、高温に加熱した石に水をかけることで、蒸気発生させて入浴を行なっており、水や燃料などが少なくて手軽に使用できたため、冷水による入浴に適さない地域で広まったものである。
【０００３】
しかしながら、火山があり、しかも水源の豊富な我が国では、昔より疲れた体を回復させるためなどに暖かいお湯、即ち、温水・温泉による入浴が好まれている。
【０００４】
そして、暖かいお湯に浸かることにより体が温まることにより、血管（特に抹消血管）が広がり、新陳代謝が高まり、体内の不要物の排泄を促すものであり、その一例を挙げると疲労回復は、疲労物質である乳酸が排出されるための効果と言われている。
【０００５】
このような素晴らしい効果を有する入浴に対して、老人や身体の不自由な人達の入浴を介助する装置は存在する。例えば、特許文献１のように。
【先行技術文献】
【特許文献】
【０００６】
【特許文献１】実開平７−３３３３１号広報      しかしながら、上記特許文献１は、浴槽内に設置し、上面部が着座可能な立方体形状の箱体であって、座ったり頭部を載せたりするものであり、上・下方向に伸縮可能に浴槽内の湯をポンプで注入・排出するものにすぎず、十分な介助の期待は出来ないものである。
【考案の概要】
【考案が解決しようとする課題】
【０００７】
そこで、この考案は、健常者はもとより、介助を要する方であっても爽快な気分で入浴することのできる介助用入浴補助具を開発・提供することにある。
【課題を解決するための手段】
【０００８】
この考案の介助用入浴補助具は、縦長の略矩形状の枠体を設け、該枠体の全体、或いは一部にネット素材を貼着した補助具本体を設け、該本体の両側面のそれぞれ略中央部には、両手用の把手を設け、該本体の末端部は、入浴中に両足で係止するための係止部材を設け、該本体の先端部は、両端よりそれぞれ係止紐付きのフックを設けたことを特徴とする。
【０００９】
そして、前記ネット素材を貼着した補助具本体に、弾力性素材で形成された中敷材を設けたことを特徴とする。
【００１０】
更に、前記中敷材が、前記枠体（２）内であって、且つ、背面部と座面部とが一体に収まる大きさに形成したことを特徴とする。
【考案の効果】
【００１１】
この考案によると、補助具本体（１）は、頭部を高く足先に向かって傾斜した状態で湯中に載置しており、補助具本体（１）を湯中に設けるため、全身浴のように深く首まで湯に浸かることなく、湯中に浮かんだ状態で半身浴の状態となり、体表面にかかる静水圧も少なくし、長めに入浴できる等、極めて有益なる効果を奏する。
【００１２】
又、この考案によると、補助具本体（１）に係止部材（５）を設けており、入浴中に両足で係止することにより、身体と補助具本体（１）を湯面上近くで入浴でき、また、両足を係止部材（５）から外せば補助具本体（１）が撓み、浴槽に深く浸かることができる。
【００１３】
更に、前記係止部材（５）を片方の足を交互に力を入れることにより、補助具本体（１）は揺動するため、揺れた状態で入浴できる等の効果も有する。
【００１４】
更に、この考案によると、前記中敷材（８）を前記ネット素材（３）に貼着した補助具本体（１）に敷設することにより、裸の身体に背中だけでなく臀部も網目が食い込むことを防止できる等の優れた効果を奏する。
【図面の簡単な説明】
【００１５】
【図１】この考案の一実施例を示す平面図である。
【図２】この考案の一実施例を示す側面図である。
【図３】この考案の使用状態の一例を示す説明図である。
【考案を実施するための形態】
【００１６】
以下、この考案について詳細に説明する。尚、考案においては、以下の記述に限定されるものでなく、この考案の要旨を逸脱しない範囲においては適宜変更可能である。
【実施例１】
【００１７】
先ず、この考案の一実施例を図1、２、３に基づいて詳述すると、縦長の略矩形状の枠体（２）を設け、該枠体（２）の全体、或いは一部にネット素材（３）を貼着した補助具本体（１）を設け、該本体（１）の両側面のそれぞれ略中央部には、両手用の把手（４ａ）（４ｂ）を設け、該本体（１）の末端部は、入浴中に両足で係止するための係止部材（５）を設け、該本体（１）の先端部は、両端よりそれぞれ係止紐（７ａ）（７ｂ）付きのフック（６ａ）（６ｂ）を設けたことを特徴とする介助用入浴補助具から構成されるものである。
【００１８】
尚、前記ネット素材（３）を貼着した補助具本体（１）に、弾力性素材で形成された中敷材（８）を設けたことを特徴とする介助用入浴補助具である。
【００１９】
また、前記ネット素材（３）の一例としては、防水性のある紐で編まれたネットである。
【００２０】
また、前記係止部材（５）は、図１では湾曲した形状のものを示したが、この形状に限定することはなく、例えば、チャンネル（Ｃ型）状のものであってもよい。
【００２１】
更に、前記中敷材（８）が、前記枠体（２）内であって、且つ、背面部と座面部とが一体に収まる大きさに形成したものであることを特徴とする介助用入浴補助具である。
【００２２】
そして、前記中敷材（８）の素材は、軽量の防水性素材が好ましく、例えば、発泡性の合成樹脂であるが、その素材は限定しない。
【００２３】
次に、この考案の使用方法を説明すると、浴槽本体（Ｘ）の壁面（Ｙ）に手摺り棒（Ｚ）を設け、該手摺り棒（Ｚ）に補助具本体（１）のフック（６ａ）（６ｂ）を引っ掛け、補助具本体（１）を浴槽本体（１）内に浸漬するものである。
【００２４】
そして、入浴に際しては、補助具本体（１）の係止部材（５）にそれぞれ両足を係止し、両手でそれぞれ把手（４ａ）（４ｂ）を掴み、身体を補助具本体（１）に委ねて入浴するものである。
【００２５】
このように、この考案は、自宅はもちろん、介助施設や、一般の温泉施設の浴槽等においても、フック（６ａ）（６ｂ）を係止できる手摺り棒（Ｚ）を設けることにより簡単に使用できるものである。
【産業上の利用可能性】
【００２６】
この考案の介助用入浴補助具の技術を確立し、実施することにより、産業上利用できるものである。
【符号の説明】
【００２７】
１  補助具本体
２  枠体
３  ネット素材
４ａ  把手
４ｂ  把手
５  係止杆
６ａ  フック
６ｂ  フック
７ａ  係止紐
７ｂ  係止紐
８  中敷材
Ｘ  浴槽本体
Ｙ  壁面
Ｚ  手摺り棒
【図１】
0003198784.tif 000003
【図２】
0003198784.tif 000004
【図３】
0003198784.tif 000005